(57)【特許請求の範囲】
【請求項１】
四角枠状をなすフレームに複数の回転軸を平行に支持するとともに、それらの回転軸間にスクリーンをループさせて張設し、前記スクリーンの裏面に対して散水するための散水装置を前記スクリーンの内側に設け、前記回転軸を回転させるためのモーターを前記回転軸内に収容したことを特徴とする散水スクリーン装置。
【請求項２】
前記モーターを前記フレームに支持したことを特徴とする請求項１に記載の散水スクリーン装置。
【請求項３】
前記モーターに対する給電線を前記フレーム内に収容するとともに、前記回転軸とフレームとの間に水遮断構造を設け、散水に用いられた水がフレームの内部に入らないようにしたことを特徴とする請求項１または２に記載の散水スクリーン装置。
【発明の詳細な説明】
【技術分野】
【０００１】
この発明は、屋外や屋内においてスクリーンに対して散水を行い、水の蒸発にともなう気化熱や輻射冷熱により屋外や屋内の空間を冷却するようにした散水スクリーン装置に関するものである。
【背景技術】
【０００２】
従来、屋外の空間を冷却するための技術として、例えば、水を微細な霧状にして空中に噴霧するミスト散布が知られている。また、多孔質の舗装ブロック、その下部の砂層あるいは路盤等に水を保持させ、その水を舗装ブロック材料の毛細管作用により、舗装ブロックの表面にしみ出させて、打ち水効果を得るようにした舗装路も知られている。
【０００３】
しかしながら、ミスト散布では、風の影響を受けやすく、風によってミストが拡散して冷却効果が著しく低下する。また、打ち水効果を狙った舗装路においては、舗装ブロックの表面にしみ出した水が、その気化熱により専ら熱容量の大きな舗装ブロックの温度を低減させるのみある。従って、前記の両従来技術は、ともに屋外の空間を効果的に冷却することはできなかった。
【０００４】
これに対し、例えば特許文献１及び特許文献２に開示されるような冷却用のカーテンまたは網状遮蔽体も、従来から提案されている。特許文献１に記載の従来構成においては、屋外に吊り下げたカーテンの上部に水タンクから水が供給されて、カーテン全体が湿潤される。そして、カーテン全体から水が蒸発されて、その気化熱により周囲空気が冷やされるようになっている。
【０００５】
また、特許文献２に記載の従来構成においては、ブラインドやシャッターとして用いられる網状遮蔽体の上部に、水タンクから水が供給されることにより、網状遮蔽体が湿潤される。そして、網状遮蔽体から水が蒸発されて、その気化熱により周囲空気が冷却されるようになっている。
【先行技術文献】
【特許文献】
【０００６】
【特許文献１】実用新案登録第３０３４８２０号公報
【特許文献２】特開２００８−２５１４２号公報
【発明の概要】
【発明が解決しようとする課題】
【０００７】
前記特許文献１及び特許文献２のカーテン及び網状遮蔽体はいずれも巻き上げられたりすることなく定位置に設けられる。しかし、このカーテン及び網状遮蔽体を例えば巻軸に支持して、その巻軸の回転により巻き上げたりすることも可能である。このように構成すれば、巻軸を回転させるためのモーターが必要となり、そのモーターは巻軸を支持するフレームに設けられる。従って、このように構成した場合は、巻軸の近傍においてモーターがフレームから突出することになって、装置の外観が低下するばかりでなく、装置の外郭形状が大形化するおそれがある。
【０００８】
この発明は、このような従来の技術に存在する問題点に着目してなされたものである。その目的とするところは、スクリーンの移動を駆動するためのモーターが外部に突出することなく装置内に体裁良く納められるようにした散水スクリーン装置を提供することにある。
【課題を解決するための手段】
【０００９】
上記の目的を達成するために、この発明は、四角枠状をなすフレームに複数の回転軸を平行に支持するとともに、それらの回転軸間にスクリーンをループさせて張設し、前記スクリーンの裏面に対して散水するための散水装置を前記スクリーンの内側に設け、前記回転軸を回転させるためのモーターを前記回転軸内に収容したことを特徴としている。
【００１０】
従って、この発明においては、モーターによって回転軸が回転されることにより、回転軸間に張設されたスクリーンが移動される。それとともに、散水装置からスクリーンに対して散水が行われて、スクリーンが湿潤される。そして、スクリーンの移動にともない、スクリーンに接触する空気により水が気化されて、空気から気化熱が奪われるとともに、周囲に対して輻射冷熱効果を与えることができる。
【００１１】
そして、この発明においては、回転軸を回転させるためのモーターが回転軸内に収容されている。このため、モーターがフレームの外側に突出することを防止することができて、散水スクリーン装置全体をコンパクトに構成することができるとともに、装置の外観を良好なものすることができる。
【００１２】
前記の構成において、前記モーターを前記フレームに支持することが好ましい。
また、前記の構成において、前記モーターに対する給電線を前記フレーム内に収容するとともに、前記回転軸とフレームとの間に水遮断構造を設け、散水に用いられた水がフレームの内部に入らないようにするとよい。このように構成した場合には、散水に用いられた水がフレーム内のモーターや給電線に降りかかることを防止できる。
【発明の効果】
【００１３】
以上のように、この発明によれば、回転軸を回転させるためのモーターがフレームの外側に突出することを防止できて、散水スクリーン装置全体をコンパクトに、かつ外観良好にすることができるという効果を発揮する。
【図面の簡単な説明】
【００１４】
【図１】一実施形態の散水スクリーン装置を示す斜視図。
【図２】図１の散水スクリーン装置の要部縦断面図。
【図３】図２の３−３線における部分拡大断面図。
【図４】図２の４−４線における部分拡大断面図。
【図５】図２の散水スクリーン装置における上部回転軸内のモーターの支持構造を拡大して示す部分断面図。
【図６】図５の６−６線における部分断面図。
【図７】図５の７−７線における部分断面図。
【図８】図２の散水スクリーン装置におけるモーターと反対側の上部回転軸の支持構造を拡大して示す部分断面図。
【図９】図２の散水スクリーン装置における下部回転軸の支持構造を拡大して示す部分断面図。
【図１０】図９の１０−１０線における部分断面図。
【発明を実施するための形態】
【００１５】
以下に、この発明を具体化した散水スクリーン装置の一実施形態を、図面に従って説明する。はじめに、この実施形態の散水スクリーン装置の基本的構成を図１〜図４に基づいて説明する。
【００１６】
図１及び図２に示すように、この実施形態の散水スクリーン装置は、箱状の支持台２８と、その支持台２８の上面に設置されたフレーム２１を備えている。前記フレーム２１は、左右一対の上下に平行に延びる支柱２２，２３と、両支柱２２，２３の上端部間に架設された上枠部２４と、両支柱２２，２３の下端部間に架設された下枠部２５とにより、全体として四角枠状をなすように構成されている。なお、ここで、左右は、便宜上図面における左右を指すものであって、限定されるものではない。
【００１７】
図４に示すように、前記両支柱２２，２３は断面Ｃ型状のステンレス鋼材により構成され、その開口部を外側にした状態で配置されている。支柱２２，２３の外側開口部には、カバー２６が複数のネジ２７により着脱可能に取り付けられている。図３に示すように、上枠部２４は断面Ｃ型状のステンレス鋼材により構成され、その開口部を下側にした状態で配置されている。下枠部２５は断面Ｃ型状のステンレス鋼材により構成され、その開口部を上側にした状態で配置されている。そして、この下枠部２５により、後述する散水装置４４から散水された水を受けるための樋部材が構成されている。
【００１８】
前記両支柱２２，２３の下端部には、取付板部２２ａ，２３ａが溶接固定されている。そして、図３に示すように、この支柱２２，２３の取付板部２２ａ，２３ａが複数のボルト２９により支持台２８の上面に取り付けられることにより、フレーム２１の下部と支持台２８とが着脱可能に固定されている。
【００１９】
前記上枠部２４内において両支柱２２，２３の上端部間には、円筒状の上部回転軸３０が回転可能に、かつ水平面内に位置するように支持されている。下枠部２５内において両支柱２２，２３の下端部間には、円筒状の下部回転軸３１が回転可能に、かつ上部回転軸３０と平行に延びるように支持されている。両回転軸３０，３１間には、環状のスクリーン３２が張設されている。このスクリーン３２は経糸と緯糸とよりなる布材により構成され、その表面には宣伝広告等の表示が施されている。前記スクリーン３２の経糸と緯糸との間には、０．３〜３ｍｍ程度の細隙が形成されている。
【００２０】
前記左側支柱２２の上端内側面には、モーター３３がそのほぼ全体を上部回転軸３０の内部に収容した状態で支持されている。そして、このモーター３３によって上部回転軸３０が回転されることにより、スクリーン３２が両回転軸３０，３１間で周回される。両回転軸３０，３１間において両支柱２２，２３の内側面には、それぞれ一対の断面Ｌ字状の案内板５４が上下方向へ平行に延びるように固定されている。そして、これらの案内板５４がスクリーン３２の左右両端縁の裏面側（内面側）に係合することにより、スクリーン３２の周回移動が案内される。スクリーン３２は、両回転軸３０，３１の両端の後述するフランジ部７２，８１，８５によって左右の幅端部が位置決めされ、スクリーン３２の左右位置が規制される。
【００２１】
前記左側支柱２２の外側面には、操作パネル３４が設けられている。この操作パネル３４上には、装置の運転を自動と手動とに切り換えるための切換つまみ３５、運転の開始ボタン３６、運転の停止ボタン３７、スクリーン３２を正転させるための正転ボタン３８、スクリーン３２を逆転させるための逆転ボタン３９、装置の運転を非常停止させるための非常停止ボタン４０が設けられている。
【００２２】
図４に示すように、前記左側支柱２２の内部には、モーター３３及び操作パネル３４にそれぞれ対する駆動電力供給用及び制御用の２ラインの給電線４１が収容されている。支持台２８の左側面には前記両給電線４１のコネクタ４２が設けられている。そして、この両コネクタ４２にそれぞれ外部給電線４３が接続されることにより、給電線４１を介してモーター３３及び操作パネル３４に給電されるようになっている。
【００２３】
前記スクリーン３２の周回域内において、両支柱２２，２３間には散水装置４４が支持されている。この散水装置４４は、両支柱２２，２３間に架設されたステンレス鋼材よりなる四角パイプ状の導水管４５と、その導水管４５の外周面に長さ方向において所定間隔おきに突設された複数のミスト噴射ノズル４６とにより構成されている。右側支柱２３の内部には、散水装置４４の導水管４５に水を供給するための給水ホース４７が収容されている。前記支持台２８の右側面には接続口４８が設けられ、給水ホース４７の下端部が支持台２８内において接続口４８に接続されている。また、この接続口４８には、図示しない水道管から延びる外部給水ホース４９が接続される。
【００２４】
そして、前記右側支柱２３内において給水ホース４７に接続された図示しない電磁バルブが開放されることにより、散水装置４４の導水管４５内に水が供給される。このため、各ミスト噴射ノズル４６からスクリーン３２の前面の裏面側に対して水がミスト状に散布される。そして、この水が気化されることにより、空気から気化熱が奪われて、周囲の空気が冷却される。また、スクリーン３２の表面が冷熱輻射面になり、周囲に対して輻射冷熱効果が与えられる。
【００２５】
前記フレーム２１の下枠部２５の左端下部には、排水部としての排水ホース５０がジョイント５１を介して接続されている。前記支持台２８の左側面には接続口５２が設けられ、排水ホース５０の下端部が支持台２８内において接続口５２に接続されている。また、この接続口５２には、図示しない排水路等に延びる排水延長ホース５３が接続される。そして、前記散水装置４４からスクリーン３２に散水されて、そのスクリーン３２の表面あるいは裏面に沿って流下する水が、樋部材としての下枠部２５内に回収された後、排水ホース５０を介して排出される。
【００２６】
次に、前記上部回転軸３０を回転させるためのモーター３３及び上部回転軸３０と、その関連機構の構成について図５以下の図面を参照しながら詳細に説明する。
図５〜図７に示すように、前記フレーム２１における左側支柱２２の上端内側面には、上部回転軸３０の左端部を挿通させるための側面Ｕ字状の凹部６０が形成されている。上部回転軸３０の左端内部に収容されたモーター３３は、チューブ状のモーターケース６１内にステータやロータ等の駆動機構を内蔵したチューブラモーターにより構成され、このモーターケース６１全体が上部回転軸３０内に挿入されている。
【００２７】
図５に示すように、前記モーターケース６１の基端部には前記モーターケース６１より大径の取付フランジ６２が固定され、その取付フランジ６２の端面には断面四角形状の連結軸部６２ａが突設されている。そして、この取付フランジ６２が後述する左側位置調節機構６５を介して、左側支柱２２の上端内部において上部回転軸３０の軸線と直交する上下方向へ位置調節可能に支持されている。モーターケース６１の先端部には大径状の駆動ローラ６３が突設され、この駆動ローラ６３の外周が上部回転軸３０の内周に固定されている。モーターケース６１の基端外周には、上部回転軸３０の先端部を回転可能に支持するための環状のフリーローラ６４が支持されている。
【００２８】
図５に示すように、前記モーター３３を位置調節するための左側位置調節機構６５においては、左側支柱２２の上端内部に断面逆Ｌ字状の取付板６６が図示しないボルトにより固定されている。取付板６６の下方において、左側支柱２２内には受け板６７が上下方向へ移動可能に配置され、その受け板６７の下面には一対のナット６８が溶接固定されている。受け板６７の上面には断面逆Ｌ字状の支持板６９が溶接固定され、その支持板６９には前記モーターケース６１の取付フランジ６２上の連結軸部６２ａに係合可能な四角形の連結孔６９ａが形成されている。そして、この連結孔６９ａに対する連結軸部６２ａの係合状態で、図示しないボルトにより支持板６９がモーターケース６１の取付フランジ６２の端面に固定されている。
【００２９】
前記取付板６６の孔には一対の調節ボルト７０が回転可能に支持されている。この状態で、それらの調節ボルト７０の頭部が取付板６６の上面に係合するとともに、調節ボルト７０の下端部が支持板６９及び受け板６７の各孔を貫通して前記ナット６８に螺合されている。そして、散水スクリーン装置の使用にともなってスクリーン３２に弛みが生じた場合には、両支柱２２，２３の上端部間から上枠部２４を取り外した状態で、調節ボルト７０を回動調節すると、調節ボルト７０とナット６８とのネジの作用により支持板６９が上下方向に移動される。この移動により、左側支柱２２に対するモーター３３及び上部回転軸３０の左端部の支持位置が変更されて、スクリーン３２が緊張状態に復元される。右側支柱２３側における緊張状態への復元も同様であるが、これについては、後述する。
【００３０】
前記上部回転軸３０の左端部と左側支柱２２との間には、水遮断構造７１が設けられている。すなわち、上部回転軸３０の左端外周にはフランジ部７２が固定されている。フランジ部７２に隣接するように、左側支柱２２の上端内側面には水遮断板７３が、その一対の長孔７３ａに挿通したネジ７４により上下方向へ位置調節可能に取り付けられている。この水遮断板７３はステンレス板の左側支柱２２側の表面にゴムコーティングを施したパッキング構造を有し、その上部には前記フランジ部７２の外側において上部回転軸３０の左端外周に下方側から近接するとともに、前記凹部６０の下部を閉鎖する閉鎖部７３ｂが形成されている。
【００３１】
そして、前記フランジ部７２及び水遮断板７３により、上部回転軸３０上のスクリーン３２側から上部回転軸３０の左端部側への水の移動が遮断されて、左側支柱２２内への水の侵入を防止できる。このため、上部回転軸３０内に収容されたモーター３３や、左側支柱２２内に収容された給電線４１に対して、水が降りかかるおそれが防止される。また、前記モーター３３及び上部回転軸３０の左端部の位置調節時には、その位置調節移動に追随して、水遮断板７３を上下方向に位置調節することにより、上部回転軸３０と左側支柱２２との間が水遮断状態に維持される。つまり、この水遮断板７３によって、水遮断状態を維持するための維持部材が構成されている。
【００３２】
図８に示すように、前記上部回転軸３０の右端部は、右側位置調節機構７５を介して、右側支柱２３の上端内部に上部回転軸３０の軸線と直交する上下方向へ位置調節可能に支持されている。この右側位置調節機構７５は、前記左側位置調節機構６５の取付板６６、受け板６７、ナット６８、支持板６９，調節ボルト７０及び水遮断板７３とほぼ同一構造をなす取付板７６、受け板７７、ナット７８、支持板７９，調節ボルト８０及び水遮断板５５より構成されている。そして、取付板７６が右側支柱２３の上端内部に固定されるとともに、受け板７７が取付板７６の下方において右側支柱２３内に上下方向へ移動可能に配置されている。
【００３３】
図８に示すように、前記上部回転軸３０の右端面は、フランジ部８１が固定され、そのフランジ部８１の中心には支持軸８２が固定されている。右側位置調節機構７５の支持板７９にはボールベアリング８３がボールベアリングケース８４等を介して取り付けられ、そのボールベアリング８３の内レースに前記支持軸８２が支持されている。そして、散水スクリーン装置の使用にともなってスクリーン３２に弛みが生じた場合には、前記左側位置調節機構６５の調節操作と同様に、右側位置調節機構７５を調節操作することにより、右側支柱２３に対する上部回転軸３０の右端部の支持位置が変更されて、スクリーン３２が緊張状態に復元される。
【００３４】
また、回転軸３０のフランジ部８１と水遮断板５５とにより、散水された水が右側支柱２３内に侵入することが防止されて、その右側支柱２３内の前記電磁バルブ及びその給電線に水が降りかかることを防止できる。そして、スクリーン３２の緊張のために、回転軸３０が上方へ位置調節された場合は、ネジ５６を緩めることにより水遮断板５５を位置調節して、水遮断状態を維持することができる。
【００３５】
次に、前記下部回転軸３１の支持構造及びその関連構成について詳細に説明する。なお、下部回転軸３１の左右両端部は、同一構成によりフレーム２１の両側支柱２２，２３に支持されている。よって、下部回転軸３１の右端部の支持構造のみを図示して、その図示に基づいて説明を加え、左端部側の詳細な説明を省略する。
【００３６】
図９及び図１０に示すように、前記下部回転軸３１の端面にはフランジ部８５が固定され、そのフランジ部８５の中心にはボールベアリング８６が装着されている。両支柱２２,２３の下端内側面には取付板８７が複数のボルト８８により取り付けられ、その取付板８７の中心には支軸８９が固定されている。そして、この支軸８９が支柱２２，２３の内側面の孔を貫通して前記ボールベアリング８６の内レースに挿入されることにより、下部回転軸３１の両端部が支柱２２，２３間に回転可能に支持されている。
【００３７】
前記下部回転軸３１の両端部と両支柱２２，２３との間には、水遮断構造９０が設けられている。すなわち、下部回転軸３１の両端のフランジ部８５に対応して、支柱２２，２３の内側面には水遮断板９１が前記ボルト８８により共締め固定されている。この水遮断板９１はステンレス板の支柱２２，２３側の表面にゴムコーティングを施したパッキング構造をなし、その上部には前記フランジ部８１の支柱２２，２３の反対側において下部回転軸３１の端部外周に上方側から近接する遮断部９１ａが形成されている。さらに、前記案内板５４の内面と水遮断板９１の両側縁との間には、防水コーキング材９２が充填され、上方からの水をブロックするようになっている。そして、前記フランジ部８５及び水遮断板９１により、下部回転軸３１上のスクリーン３２側から下部回転軸３１の両端部側への水の移動が遮断されて、支柱２２，２３内への水の侵入を防止できる。このため、左側支柱２２内に収容された給電線４１や右側支柱２３内に収容された電磁弁等に対して、水が降りかかるおそれが防止される。
【００３８】
次に、前記のように構成された散水スクリーン装置の動作を説明する。
さて、この散水スクリーン装置が屋外等に設置された状態で、操作パネル３４上の運転開始ボタン３６がオンされると、モーター３３により上部回転軸３０が回転されて、両回転軸３０，３１間に張設されたスクリーン３２が一定時間ごと（例えば１分ごと）に半周ずつ周回移動される。それとともに、散水装置４４のミスト噴射ノズル４６からスクリーン３２の裏面側に水がミスト状に散布されて、スクリーン３２の全面が湿潤される。そして、水が気化されて、その空気から気化熱が奪われることにより、空気が冷却されるとともに、輻射冷熱効果が周囲に与えられる。
【００３９】
この場合、前記散水装置４４のミスト噴射ノズル４６からスクリーン３２に散布されて、そのスクリーン３２の面に沿って流下する水は、樋部材としての下枠部２５内に回収された後、排水ホース５０を介して外部に排出される。よって、スクリーン３２から流下する水が散水スクリーン装置の設置個所の周囲に溜まったり、広まったりして、歩行等に支障をきたすことを回避できる。
【００４０】
そして、この実施形態においては、以下の効果を得ることができる。
（１）  この実施形態においては、上部回転軸３０を回転させるためのモーター３３がチューブラモーターにより構成され、上部回転軸３０内に収容された状態でフレーム２１の支柱２２に支持されている。このため、モーター３３がフレーム２１の外側に突出することはなく、散水スクリーン装置全体をコンパクトに構成することができるとともに、装置の外観を良好に保つことができる。
【００４１】
（２）  この実施形態においては、モーター３３を収容する上部回転軸３０と支柱２２，２３との間及び下部回転軸３１と支柱２２，２３との間に水遮断構造７１，９０が設けられている。このため、散水に用いられた水が上部回転軸３０内のモーター３３や支柱２２，２３内の給電線４１等に降りかかるおそれを防止することができる。
【００４２】
（３）  しかも、前記水遮断構造７１，９０は、軸の周りを止水するリング状のシールパッキンを用いたものではないため、モーター３３の回転駆動に余分な負荷がかかることを阻止できるとともに、磨耗損傷のおそれがなく、耐久性に優れたものとなる。
【００４３】
（４）  この実施形態においては、上部回転軸３０が位置調節機構６５，７５によりフレーム２１の支柱２２，２３に対して、回転軸３０の軸線と直交する方向へ位置調節可能に支持されている。このため、散水スクリーン装置の使用にともなってスクリーン３２に弛みが生じた場合には、位置調節機構６５，７５によって上部回転軸３０をその軸線と直交する上方向に位置調節することにより、スクリーン３２を緊張状態に復元させることができる。
【００４４】
（５）  この実施形態においては、前記水遮断構造７１，９０に、上部回転軸３０の位置調節移動に追随移動して水遮断状態を維持するための維持部材としての水遮断板７３，５５が設けられている。このため、上部回転軸３０の位置調節に際して、その位置調節移動に追随して水遮断板７３を移動させることにより、上部回転軸３０と支柱２２との間を水遮断状態に維持することができる。
【００４５】
（６）  支柱２２，２３の内側に案内板５４を設けたことにより、この案内板５４によりスクリーン３２の移動を案内できるだけではなく、散水がスクリーン３２を通ることなく直接外部に放出されることを阻止できる。従って、無駄な散水を防止できる。
【００４６】
（７）  回転軸３０内のモーター３３は、スクリーン３２における気化熱等によって回転軸３０を介して冷却されるため、回転軸３０内に密閉状態に挿入したとしても、過熱を抑制でき、モーター３３の動作不良や損傷等を未然に防止できる。
【００４７】
（変更例）
なお、この実施形態は、次のように変更して具体化することも可能である。
・  モーター３３を下部回転軸３１の左端内部に収容した状態で左側支柱２２に支持し、または下部回転軸３１の右端内部に収容した状態で右側支柱２３に支持すること。
【００４８】
・  前記実施形態では回転軸３０，３１を上下２本設けたが、３本以上とすること。
・  前記実施形態ではスクリーン３２を無端環状に構成したが、端部を有する帯状に構成すること。この場合、スクリーン３２の両端部はそれぞれ回転軸に巻き取られる。
【００４９】
・  モーターとして、その外側のケーシングが回転されるタイプのものを使用し、そのケーシングを回転軸３０の内周面に固定すること。
・  散水装置４４の上下位置，ミスト噴射ノズル４６の噴射方向を適宜に変更すること。
【００５０】
・  スクリーン３２として網や編成シートを用いること。
（他の技術的思想）
前記実施形態から把握されるが、請求項として挙げられなかった技術的思想の一例を以下に示す。
【００５１】
（Ａ）  前記回転軸をその軸線と直交する方向において位置調節可能に支持したことを特徴とする請求項１または２に記載の散水スクリーン装置。
このように構成した場合には、装置の使用にともなってスクリーンに弛みが生じた場合、回転軸をその軸線と直交する方向に位置調節することにより、スクリーンを緊張状態に復元させることができる。
【００５２】
（Ｂ）  前記水遮断構造には、回転軸の位置調節移動に追随移動して水遮断状態を維持するための維持部材を設けたことを特徴とする前記技術的思想（Ａ）項に記載の散水スクリーン装置。
【００５３】
このように構成した場合には、回転軸の位置調節に際して、その位置調節移動に追随して維持部材を移動させることにより、回転軸とフレームとの間を水遮断状態に維持することができる。
【００５４】
（Ｃ）  水遮断構造を、回転軸の端部に設けたフランジと、そのフランジを覆うようにフランジを介してフレームの反対側に設けた水遮断板とにより構成したことを特徴とする請求項１〜３，前記技術的思想（Ａ）項，（Ｂ）項のうちのいずれか一項に記載の散水スクリーン装置。
【００５５】
このように構成すれば、リング状のシールパッキンを用いる必要がないため、磨耗損傷のおそれがなく、耐久性に優れたものとなる。
【符号の説明】
【００５６】
２１…フレーム、２２…左側支柱、２３…右側支柱、２４…上枠部、２５…下枠部、３０…上部回転軸、３１…下部回転軸、３２…スクリーン、３３…モーター、３４…操作パネル、４１…給電線、４４…散水装置、４５…導水管、４６…ミスト噴射ノズル、５５…水遮断板、６１…モーターケース、６３…駆動軸、６４…フリーローラ、６５…左側位置調節機構、６６…取付板、６９…支持板、７０…調節ボルト、７１…水遮断構造、７３…維持部材としての水遮断板、７５…右側位置調節機構、７６…取付板、７９…支持板、８０…調節ボルト、９０…水遮断構造、９１…水遮断板。
【図１】
0005624292.tif 000002
【図２】
0005624292.tif 000003
【図３】
0005624292.tif 000004
【図４】
0005624292.tif 000005
【図５】
0005624292.tif 000006
【図６】
0005624292.tif 000007
【図７】
0005624292.tif 000008
【図８】
0005624292.tif 000009
【図９】
0005624292.tif 000010
【図１０】
0005624292.tif 000011